(57)【要約】【課題】  耐候性に優れ、長時間残光性を有する、蓄光材料含有樹脂を用いて安価でかつ蓄光樹脂が脱落しない、かつ夜間や夜間の降雨時、災害時等に長時間視認可能な蓄光性縁石ブロックを提供する。【解決手段】  コンクリートからなる縁石表面に少なくとも一つ以上の凹部を有し、該凹部の断面形状が突起形状及び／又は表面側が狭隘化された形状を有しており、該凹部の一部又は全部が蓄光材料含有樹脂からなる構造体で充填したことを特徴とする縁石ブロック。【選択図】図１
0003130493.tif 000002
【実用新案登録請求の範囲】
【請求項１】
コンクリートからなる縁石表面に少なくとも一つ以上の凹部を有し、該凹部の断面形状が突起形状及び／又は表面側が狭隘化された形状を有しており、該凹部の一部又は全部が蓄光材料含有樹脂からなる構造体で充填したことを特徴とする縁石ブロック。
【請求項２】
前記蓄光材含有樹脂に発泡剤が含有されていることを特徴とする請求項１記載の縁石ブロック。
【考案の詳細な説明】
【技術分野】
【０００１】
本考案は、蓄光部材を有する縁石ブロックに関するものであり、特に、夜間や夜間の降雨時、災害時等に、人を安全に誘導するための標識を付した縁石ブロックに関するものである。
【背景技術】
【０００２】
従来、夜間や、災害時の避難所等において、人を安全に誘導する手段として、縁石の材料のコンクリートのなかにガラスや反射物質等を一緒に練り込んで、その表面にライトの光を反射させる方法や、さらに蛍光塗料を表面に塗る方法があった。
【考案の開示】
【考案が解決しようとする課題】
【０００３】
特に、災害時には、確実で安全な避難誘導システムが求められ、夜間の災害に備えて、夜間を通して発光が確認でき、安全に避難できることが強く求められている。しかしながら、蛍光塗料、反射板やガラス等は持続性や耐候性に問題が多く、又、暗所では自発光しないため、避難誘導の目的には十分でない。そこで、耐候性に優れ、長時間残光性を有する、安価な蓄光性縁石ブロックが求められていた。
【課題を解決するための手段】
【０００４】
本考案は、前記の不都合を解消するために提案されたものであって、その構成は、  コンクリートからなる縁石表面に少なくとも一つ以上の凹部を有し、該凹部の断面形状が突起形状及び／又は表面側が狭隘化された形状を有しており、該凹部の一部又は全部が蓄光材料含有樹脂からなる構造体で充填したことを特徴とする縁石ブロックである。
【考案の効果】
【０００５】
コンクリートブロックの凹部に蓄光材料含有樹脂からなる構造体で充填することにより、蓄光部材含有樹脂は凹部の容積分があれば足り、蓄光材料を使用する量が少量ですむことから、低コストで発光性能を有する縁石ブロックを得ることができる。また、紫外線等による劣化に強く、高温にも耐える蓄光材料を使用することで耐候性、耐熱性に優れた発光性能を有する縁石ブロックを得ることができる。また、長時間の残光性能を有する蓄光材料を選定することで、降雨時においても夜間を通して視認可能な自発光性縁石ブロックを得ることができる。また、樹脂が固化する際や経時における脆化や収縮が生じて樹脂が縁石ブロックから容易に外れないようにすることが大切であるが、凹部の断面形状が突起形状及び／又は表面側が狭隘化された形状を有することにより、充填した蓄光材料含有樹脂の脱落を防止することができる。
【考案を実施するための最良の形態】
【０００６】
以下に、本考案の縁石ブロックについて、実施形態を説明するが、本考案は、これらに限定されて解釈されるものではなく、本考案の範囲を逸脱しない限りにおいて、当業者の知識に基づいて、各種変更が可能であり、又、種々の修正、改良を加え得るものである。
【実施例１】
【０００７】
図１における１は、車道の端部あるいは車道と歩道の境界部分に施工されるコンクリート製の縁石ブロックであり、略直方体状に形成されており、２は、縁石ブロック１の上面に、突起形状５を有する円筒形状４と略椀形状３からなる凹部であり、この凹部２に蓄光材料含有樹脂からなる構造体を充填する。円筒形状４に突起形状５を有することで、蓄光材料含有樹脂の脱落を防止することができる。
【０００８】
図３は図１とは別の本考案における実施形態であり、１’は、車道の端部あるいは車道と歩道の境界部分に施工されるコンクリート製の縁石ブロックであり、略直方体状に形成されており、２’は、縁石ブロック１’の上面に、突起形状５’を有する円筒形状４’と矩形状３’からなる凹部であり、この凹部２’に蓄光含有液状樹脂からなる構造体を充填する。該凹部２’の長さは縁石全長に亘るもの、又は部分的であってもよい。円筒形状４’に突起形状５’を有することで、蓄光含有樹脂の脱落を防止することができる。
【０００９】
図５は、さらに別の本考案における実施形態であり、１”は、車道の端部あるいは車道と歩道の境界部分に施工されるコンクリート製の縁石ブロックであり、略直方体状に形成されており、２”は縁石ブロック１”の上面に有する凹部であり、該凹部は表面側が狭隘化された形状を有する。また、凹部２”の長さは、縁石全長に亘るもの、又は部分的であってもよい。該凹部が表面側が狭隘化された形状を有することで、蓄光材料含有樹脂の脱落を防止することができる。
【００１０】
図７は、さらに別の本考案における実施形態であり、１’’’は、車道の端部あるいは車道と歩道の境界部分に施工されるコンクリート製の縁石ブロックであり、略直方体状に形成されており、凹部２’’’は、略椀形状であり、凹部２’’’に充填されるコンクリート−蓄光材料含有樹脂複合体６は、コンクリート部７と蓄光材料含有樹脂部８からなり、蓄光材料含有樹脂部８は、表面側が狭隘化された形状であることにより、蓄光含有樹脂の脱落を防止することができる。
【００１１】
上記コンクリート製の縁石ブロックの凹部は、コンクリートブロック製造時に、型枠を用いて作成してもよいし、アンカーボルト等の挿通用の凹部を有する既存の縁石の凹部を利用してもよい。
【００１２】
本考案に用いられる蓄光材料含有樹脂に含まれる樹脂として、シリコーン樹脂、ウレタン樹脂、エポキシ樹脂、アクリル樹脂、塩化ビニル樹脂等を挙げることができる。
【００１３】
本考案に用いられる蓄光材料含有樹脂に含まれる蓄光材料として、金属酸化物に希土類元素をドープさせてなる蓄光性蛍光体が挙げられる。これらの中でより好ましくは、耐水性及び残光性に優れるＳｒ４Ａｌ１４Ｏ２５：Ｅｕ，Ｄｙ蓄光性蛍光体が挙げられる。
【００１４】
蓄光材の好ましい１例として、イージーブライト（株）製ＥＺＣＡＢ（商品名）が挙げられる。
【００１５】
蓄光樹脂への蓄光材料の含有量は、３〜９０重量％であり、好ましくは、５〜８０重量％である。５重量％以下であると、残光輝度に劣り、８０重量％であると加工性が劣ると共に費用がかかる。
【００１６】
蓄光含有液状樹脂を固化する方法としては、常温硬化法、熱硬化法、ＵＶ硬化法等、使用する樹脂に応じて適宜選択することができる。
【実施例２】
【００１７】
ほかの実施形態としては、上記蓄光含有液状樹脂に発泡剤を含有することができる。発泡剤を含有することで凹部の外壁に樹脂が圧着されて脱落を生じにくくすることが可能となる。発泡剤としては市販のものを用いることができる。
【図面の簡単な説明】
【００１８】
【図１】本考案の斜視説明図である。
【図２】図１の斜視説明図の断面図である。
【図３】本考案の別の実施形態の斜視説明図である。
【図４】図３の斜視説明図の断面図である。
【図５】本考案のさらに別の実施形態の斜視説明図である。
【図６】図５の斜視説明図の断面図である。
【図７】本考案のさらに別の実施形態の斜視説明図である。
【図８】図７の斜視説明図の断面図である。
【符号の説明】
【００１９】
１，１’，１”，１''’  縁石ブロック
２，２’，２”，２'''  凹部
３  略椀形状
３’矩形状
４，４’  円筒形状
５，５’  突起形状
６  コンクリート−蓄光材料含有樹脂複合体
７  コンクリート部
８  蓄光材料含有樹脂部
【図１】
0003130493.tif 000003
【図２】
0003130493.tif 000004
【図３】
0003130493.tif 000005
【図４】
0003130493.tif 000006
【図５】
0003130493.tif 000007
【図６】
0003130493.tif 000008
【図７】
0003130493.tif 000009
【図８】
0003130493.tif 000010